(57)【要約】【課題】低コストで賞球の計数に係る作業者の負担を軽減する。【解決手段】投入された賞球Ｐを所定箇所（貯留部５０や賞球計数機１０の所定の投入口１１）へ導くための導球部材３０であって、賞球Ｐを投入するための複数の投入受口３４ａ〜３４ｆを備えると共に、これら複数の投入受口３４ａ〜３４ｆが上下に並設してあることを特徴とする導球部材。【選択図】図１
2014018210.tif 000002
【特許請求の範囲】
【請求項１】
投入された賞球を所定箇所へ導くための導球部材であって、
賞球を投入するための複数の投入受口を備えると共に、これら複数の投入受口が上下に並設してあることを特徴とする導球部材。
【請求項２】
前記複数の投入受口は、玉箱の高さに略一致するピッチで設けられていることを特徴とする請求項１に記載の導球部材。
【請求項３】
前記複数の投入受口は、賞球を収容した状態で所定の台車上に積み重ねられた玉箱の上端縁部が、いずれか隣接する２つの投入受口の間に位置するように形成されていることを特徴とする請求項１又は請求項２に記載の導球部材。
【請求項４】
前記複数の投入受口には、玉箱のフランジの下面に形成されている凹部と係合する上向きの係合突起が形成されていることを特徴とする請求項１〜請求項３の何れか１項に記載の導球部材。
【請求項５】
前記係合突起は、幅方向中央部に近づくほど徐々に高くなる山なり形状の突起であることを特徴とする請求項４に記載の導球部材。
【請求項６】
前記複数の投入受口には、その先端に玉箱の上面開口の長辺よりも幅狭の張出部が形成されており、
前記係合突起は、前記張出部に形成されていることを特徴とする請求項３又は請求項５に記載の導球部材。
【請求項７】
前記複数の投入受口は、当該導球部材の内部に設けられた連通路にて上下に連通されており、
前記連通路には、前記賞球の落下速度を緩和する落下速度緩和部材が設けてあることを特徴とする請求項１〜請求項６の何れか１項に記載の導球部材。
【請求項８】
前記落下速度緩和部材は、前記連通路の一方の側面から当該一方の側面に対向する側面の近傍まで略垂直に突出する複数の弾性部材であることを特徴とする請求項７に記載の導球部材。
【請求項９】
前記複数の弾性部材は、前記一方の側面において、前記投入受口から投入される賞球の直径の倍のピッチで千鳥状に配列されていることを特徴とする請求項７又は請求項８に記載の導球部材。
【請求項１０】
請求項１〜請求項９の何れかに記載の導球部材が前後左右何れかの側面に配設された載置台であって、
前記投入受口の先端部分が、当該載置台の前側面から所定長だけ突出するように、前記導球部材が配設されていることを特徴とする載置台。
【請求項１１】
前記導球部材が設けられた側面の下端には、前記賞球を収容する玉箱を搬送するための台車の載置部の少なくとも一部を収容可能な凹部が形成されていることを特徴とする請求項１０に記載の載置台。
【発明の詳細な説明】
【技術分野】
【０００１】
本発明は、賞球の計数に係る作業者の負担を軽減する導球部材、及び載置台に関する。
【背景技術】
【０００２】
賞球（いわゆるパチンコ玉等）を用いるパチンコ等の遊技では、大量に賞球を獲得したとき等に、賞球を玉箱（いわゆるドル箱等）に収容しておく。玉箱には各種サイズがあり、玉箱に収容される賞球数はまちまちであるが、仮に玉箱に収容されている賞球数が１７００個だとすると、玉箱の重量は約９．６ｋｇ（＝９２６０ｇ（賞球）＋３７４ｇ（箱））にもなる。
【０００３】
ここで、作業者（パチンコ店の店員等）は、獲得した賞球数に応じた景品を客に渡すために、客の獲得した賞球の数を知る必要がある。このとき、作業者は、玉箱を台車等に載置して賞球計数機の設置場所まで搬送し、玉箱を持ち上げて賞球計数機の賞球投入口に賞球を投入することにより、客の獲得した賞球数を計数する。この賞球を計数するための作業は、作業者に大きな負担をかけることが知られている。
【０００４】
図１８は、賞球の計数に係る作業者の作業負担を説明するための図である。同図に示すように、玉箱を持ち上げる作業は、玉箱を把持するために腰を落とす（もしくは座る）工程と、玉箱を把持しつつ起立して玉箱を持ち上げる工程と、持ち上げた玉箱を傾けて賞球計数機の賞球投入口へ賞球を投入する工程と、が必要になる。本発明者の計算したところによれば、これらの作業に必要なエネルギーは、大雑把に計算しただけでも４．４９Ｋｗｈも必要である。
【０００５】
このように、遊技場（パチンコ店等）における作業負担が過大であることから、遊技場の作業者（店員等）は給料を高めに設定しても定着率が悪く、人材の獲得に多大な出費と労力を強いられることになっていた。このような実情に鑑みて、賞球を計数する際の作業者の負担を軽減するための各種工夫が行われている（特許文献１〜６等）。
【０００６】
特許文献１には、台車に複数の玉箱を重ねた状態でリフトにセットし、パチンコ玉の計数機が置いてあるカウンターと最上位に載置された玉箱とが同じ高さになるまでリフトを上昇させる搬送システムが開示されている。これによれば、計数機へ玉を流す作業の負担を軽減することができる。
【０００７】
特許文献２には、１つのリフト手段により、計数機本体の玉箱装填部に装填されたパチンコ玉収容箱を計数機本体の上面の空箱取出口に上昇させるパチンコ玉計数機が開示されている。これによれば、空箱取出口に上昇したパチンコ玉収容箱に収容された玉を計数機へ流すだけでよく、計数機へ玉を流す作業負担が軽減される。
【０００８】
特許文献３に開示されているリフト付き遊技玉計数機では、その前面上部に、遊技玉を投入する投入口が設けてあり、投入口に投入された遊技玉は、保管部、流下レールを経由して流下レールの出口に設けられたセンサにより計数される。リフトは、センサを通過して落下してきた遊技玉を、リフト付き遊技玉計数機の上部に設けてある排出口に揚送する。このように、計数後の遊技玉をリフトを用いて遊技島に排出するようにしたため、低い位置に遊技玉投入口を設けることができ、遊技玉保管箱を高い位置に抱え上げる必要なくなる。また、リフト付き玉計数機を床に設置することができるため、遊技玉保管箱を大型にすることができる。従って、一度に大量の遊技玉を遊技玉投入口に投入して、遊技玉計数作業の時間を短縮し、高い位置に配置された遊技玉計数機に遊技玉を投入するといった労力を軽減することができる。
【０００９】
特許文献４に開示されているパチンコ玉収容台車によれば、床面上のパチンコ玉収容箱をパチンコ玉運搬用台車上に自動的に載せ換えることが可能であり、パチンコ玉収容箱内のパチンコ玉の排出を許容できるパチンコ玉運搬用台車、およびパチンコ玉運搬用台車で運搬してきたパチンコ玉収容箱をパチンコ玉運搬用台車ごと装填するだけで自動的にパチンコ玉収容箱内のパチンコ玉を排出させて計数することができる。これにより、遊技玉を高い位置に配置された計数機に投入する労力が軽減される。
【００１０】
特許文献５には、専用の玉計数機や台車および玉箱などを必要とせず、台車を利用して運搬してきた玉箱および台車を利用しないで運んできた玉箱のいずれからでも、玉箱内の玉を玉計数機に容易に投入できる玉計数機用リフト装置が開示されている。
【００１１】
特許文献６には、台車等により遊技台近傍から運搬されてきた収納箱を、店員が腰を屈めたり中腰の状態で持ち上げたりすることなく、計数機の受入口に出玉を流入することが可能な昇降装置が開示されている。
【先行技術文献】
【特許文献】
【００１２】
【特許文献１】特開平９−３８３３４号公報
【特許文献２】特開平９−２７６５３９号公報
【特許文献３】特開平１０−２６３１９５号公報
【特許文献４】特開２０００−１４９２１号公報
【特許文献５】特開２００８−９９９２２号公報
【特許文献６】特開２００８−２１２３７９号公報
【発明の概要】
【発明が解決しようとする課題】
【００１３】
上述した特許文献１〜６に記載の技術では、既存の設備と置き換え、又は大がかりな設備改造が必要になる。そのため、既存の設備を有効活用することが出来ず、高コストであった。
【００１４】
本発明は、前記課題に鑑みてなされたもので、低コストで賞球の計数に係る作業者の負担を軽減することが可能な導球部材、及び載置台の提供を目的とする。
【課題を解決するための手段】
【００１５】
本発明の態様の１つは、投入された賞球を所定箇所へ導くための導球部材であって、賞球を投入するための複数の投入受口を備えると共に、これら複数の投入受口が上下に並設した構成としてある。当該構成によれば、所定の玉箱を搬送するための台車の上に積み重ねられた複数の玉箱から賞球を投入する際に、導球部材に設けられた複数の投入部の中から最も近い投入受口を選択して賞球を投入することが出来るようになる。これにより、賞球を賞球計数機などに移し替える作業を行う作業者が、大量の賞球が収容された重たい玉箱を持ち上げたり玉箱を持って立ち上がったりする重労働を行う必要が無くなり、作業者の負担を大幅に軽減することが出来る。なお、このような導球部材は、安価に作成及び設置可能であるため、低コストで実現できる。
【００１６】
本発明の選択的な態様の１つにおいては、前記複数の投入受口は、玉箱の高さに略一致するピッチで設けた構成としてある。当該構成によれば、玉箱を大きく移動させずに賞球を投入受口に投入することが可能になるため、賞球の投入に係る作業者の負担を更に軽減することが可能となる。
【００１７】
本発明の選択的な態様の１つにおいては、前記複数の投入受口は、賞球を収容した状態で所定の台車上に積み重ねられた玉箱の上端縁部が、いずれか隣接する２つの投入受口の間に位置するように形成された構成としてある。当該構成によれば、所定の台車上に積み重ねられた玉箱毎に最適な位置に投入受口がそれぞれ形成されるため、賞球の投入に係る作業者の負担を更に軽減することが可能となる。
【００１８】
本発明の選択的な態様の１つにおいては、前記複数の投入受口には、玉箱のフランジの下面に形成されている凹部と係合する上向きの係合突起が形成されている。これにより、作業者は、賞球を投入受口に投入する際、玉箱のフランジの下面に形成されている凹部を、前記上向きの係合突起と係合させ、この係合部分を回動の軸として玉箱を傾けていくことにより、賞球を前記投入受口に投入することができる。これにより、作業者が賞球投入時に支える玉箱の重量が大幅に軽減されるため、作業者の作業負担が軽減される。
【００１９】
本発明の選択的な態様の１つにおいては、前記係合突起は、幅方向中央部に近づくほど徐々に高くなる山なり形状の突起である。このように山なり形状の突起とすることにより、玉箱のフランジの下面の形成された凹部と突起との係止が容易になるため、作業者の作業負担が軽減される。
【００２０】
本発明の選択的な態様の１つにおいては、前記複数の投入受口には、その先端に玉箱の上面開口の長辺よりも幅狭の張出部が形成されており、前記係合突起は、前記張出部に形成されている。このように玉箱の上面開口の長辺よりも幅狭の張出部に突起を形成してあるため、上下に並設された複数の投入受口の２段目以下の投入受口に玉箱から賞球を投入する際、玉箱を約９０°に傾けても、玉箱と投入受口とが干渉しにくくなる。これにより、玉箱に玉残りなどが発生しにくくなり、作業者の作業負担が軽減される。
【００２１】
本発明の選択的な態様の１つにおいては、前記複数の投入受口は、当該導球部材の内部に設けられた連通路で上下に連通されており、前記連通路の途中位置には、前記賞球の落下速度を緩和する落下速度緩和部材が設けた構成としてある。当該構成によれば、上下に併設された複数の投入受口に何れから賞球を投入しても、内部の連通路を落下する賞球の落下速度を一定範囲内に制御することが可能となる。これにより、導球部材や賞球の耐用年数を延ばすことができる。
【００２２】
本発明の選択的な態様の１つにおいては、前記落下速度緩和部材は、前記連通路の一方の側面から当該一方の側面に対向する側面の近傍まで略垂直に突出する複数の弾性部材である。このように、弾性部材で形成した突起にて落下速度緩和部材を構成することにより、安価且つ耐久性の高い落下速度緩和部材を実現することが出来る。
【００２３】
本発明の選択的な態様の１つにおいては、前記複数の弾性部材は、前記一方の側面において、前記投入受口から投入される賞球の直径の倍のピッチで千鳥状に配列されている。複数の弾性部材を、このようなピッチの千鳥配列で設けることにより、前記投入受口から投入されて連通路を落下する賞球は、確実に弾性部材に衝突して落下速度を緩和されることとなる。
【００２４】
本発明の他の態様においては、上述した導球部材が前後左右何れかの側面に配設された載置台であって、前記投入受口の先端部分が、当該載置台の前側面から所定長だけ突出するように、前記導球部材が配設されている。このように、載置台の側面から投入受口の先端部分が突出しているため、作業者は、賞球の投入作業が容易となる。特に、前記係合突起が投入受口の先端に形成されている場合は、前記係合突起と玉箱のフランジの下面に形成された凹部とを係合させる作業が容易となる。
【００２５】
本発明の前記他の態様の選択的な態様の１つにおいては、前記導球部材が設けられた側面の下端には、前記賞球を収容する玉箱を搬送するための台車の載置部の少なくとも一部を収容可能な凹部が形成されている。当該構成によれば、玉箱を搬送するための所定の台車上に複数列に亘って玉箱を積み重ねてある場合にも、前方に積み重ねてある玉箱のみならず、後方に積み重ねてある玉箱についても導球部材の各投入受口に対して容易に賞球を投入することができる。これにより、賞球の投入に係る作業者の作業負担を更に軽減することが出来る。
【００２６】
なお、以上説明した導球部材や載置台は、他の機器に組み込まれた状態で実施されたり他の方法とともに実施されたりする等の各種の態様を含む。また、本発明は、前記導球部材や載置台を備える導球装置や賞球計数システム等としても実現可能である。
【発明の効果】
【００２７】
本発明によれば、既存設備を有効活用しつつ低コストで、賞球の計数に係る作業者の負担を軽減することが可能となる。
【図面の簡単な説明】
【００２８】
【図１】賞球計数システムを右側方から見て示した図である。
【図２】賞球計数システムを上方から見て示した図である。
【図３】賞球計数システムを前方から見て示した図である。
【図４】導球部材の一構成例を示す斜視図である。
【図５】導球部材の一構成例を示す分解斜視図である。
【図６】投入受口の前側面図である。
【図７】第１落下防止壁とドル箱のフランジとの係合状況を説明する図である。
【図８】張出部とドル箱の開口とを対比する図である。
【図９】図７のＸ−Ｘ’断面を示す図である。
【図１０】落下スペースを、導球部材の略中央部で前後上下に切断して示した図である。
【図１１】落下速度緩和部材の配列を示す要部断面図である。
【図１２】落下速度緩和部材の第二の例の構造を示す図である。
【図１３】落下速度緩和部材の１例を示す図である。
【図１４】落下速度緩和部材の開口のサイズを説明する図である。
【図１５】賞球投入時の、賞球計数システムとドル箱との位置関係を示す図である。
【図１６】賞球投入時の、投入受口とドル箱の位置関係を示す図である。
【図１７】導球部材を介した賞球Ｐの投入を説明する図である。
【図１８】従来の賞球の計数に係る作業者の作業負担を説明するための図である。
【発明を実施するための形態】
【００２９】
以下、図面を参照しつつ、下記の順番で本発明を説明する。
（１）賞球計数システムの概略構成：
（２）賞球計数システムの作用：
（３）まとめ：
【００３０】
（１）賞球計数システムの概略構成：
図１〜図３には、賞球計数システムの構成の概略を示してある。図１は、賞球計数システム１００を右側方から見て示した図であり、図２は、賞球計数システム１００を上方から見て示した図であり、図３は、賞球計数システム１００を前方から見て示した図である。
【００３１】
これらの図に示すように、賞球計数システム１００は、投入口１１に投入された賞球Ｐを計数する賞球計数機１０、賞球計数機１０にて計数済みの賞球Ｐを所定箇所（遊技機等）へ送出するための送球路２０、作業者が賞球Ｐを投入するための複数の投入受口３４ａ〜３４ｆを備える導球部材３０、導球部材３０に投入されて流路４０を通って流下してきた賞球Ｐを一時的に貯留する貯留部５０、及び貯留部５０に貯留された賞球Ｐを賞球計数機１０の所定の投入口１１へ搬送する搬送部６０を備えている。賞球計数機１０は、所定の載置台Ｔの上に設置されている。
【００３２】
賞球計数機１０は、賞球Ｐを投入するための投入口１１と、賞球計数機１０の内部に備えられており、投入された賞球数を計数する計数部１２と、計数部１２による計数結果としての賞球数を印字して出力する出力部１３と、を備えている。計数部１２にて賞球数の計数が完了した賞球Ｐは、賞球計数機１０から送球路２０へと排出される。送球路２０は、例えば、パチンコ機等の遊技機や、賞球Ｐを貯留するための所定の部位等に接続されており、送球路２０を介して遊技機に供給された賞球Ｐは、再び、遊技に用いられることになる。
【００３３】
導球部材３０は、載置台Ｔの一方の側面に固定して使用される。このとき、導球部材３０は、投入受口３４ａ〜３４ｆの端部が、当該載置台の一方の側面から外方に露出した状態で、載置台Ｔに固定して用いられる。これにより、載置台Ｔの一方の側面において、複数の高さから賞球Ｐを投入することが出来るようになる。
【００３４】
図４は、導球部材３０の一構成例を示す斜視図である。同図に示すように、導球部材３０は、前面が開口した矩形箱状の箱体３１、箱体３１の左右側面の内部に固定される側板３２，３３、及び、箱体３１の開口に沿って上下に並設された複数の投入受口３４ａ〜３４ｆを備えている。なお、図４においては、後述する飛出防止板３４５やヒンジ機構３４６、落下速度緩和部材９０については、図示を省略してある。また、以下で方向の説明を行う際は、説明の便宜上、同図に示してある方向を用いる。
【００３５】
図５は、導球部材３０の一構成例を示す分解斜視図である。同図に示すように、箱体３１の左右側面には、ビス止め用の孔３１ａ〜３１ｈが設けてあり、側板３２の右側面にはビス止め用のねじ穴３２ａ〜３２ｄが設けてあり、側板３３の左側面にはビス止め用のねじ穴３３ｅ〜３３ｈ（不図示）が設けてある。側板３２，３３を箱体３１の内側面の所定位置にそれぞれ配置し、孔３１ａ〜３１ｈを介してねじ穴３２ａ〜３２ｄ，３３ｅ〜３３ｈにネジ止めすることにより、側板３２，３３が箱体３１の所定位置に固定される。
【００３６】
側板３２の左側面には、複数の溝３２１が手前側から奥方に向かって徐々に低くなるように斜めに形成されおり、側板３３の右側面には、複数の溝３３１が手前側から奥方に向かうに従って徐々に低くなるように斜めに形成されている。複数の溝３２１，３３１を構成する溝は、上下方向に一定のピッチで形成されている。
【００３７】
複数の溝３２１，３３１のピッチは、使用状況に応じて適宜に設計可能である。例えば、投入受口３４ａ〜３４ｆの間隔や位置を使用状況に応じて高精度で調整したい場合には溝のピッチを狭く設計し、投入受口３４ａ〜３４ｆの間隔や位置を調整する精度が要求されない場合は溝のピッチを広めに設計する。むろん、投入受口３４ａ〜３４ｆの取り付けピッチや位置を調整する必要が全くない場合は、投入受口３４ａ〜３４ｆ毎に１つずつ溝を形成するのみとしてもよいし、溝をそもそも設けずに、投入受口３４ａ〜３４ｆをネジ止めなどで直接に固定するようにしてもよい。溝を設けない場合は、側板３２，３３自体を無くして、箱体３１に直接固定することもできる。
【００３８】
複数の溝３２１，３３１には、投入受口３４ａ〜３４ｆの左右端部を係合させつつ所定位置までスライド挿入させる。これにより、投入受口３４ａ〜３４ｆが箱体３１に係合固定される。このように投入受口３４ａ〜３４ｆをスライド挿入して固定するとき、少なくとも投入受口の数以上の複数の溝が形成されているため、投入受口３４ａ〜３４ｆの位置やピッチ等を、使用状況に応じて適宜に調整することができる。そういった意味で、導球部材３０が備える投入受口の数自体も適宜に変更されるものであり、図４，５に示す投入受口の数は、一例である。
【００３９】
次に、投入受口３４ａ〜３４ｆの構造について説明する。なお、投入受口３４ａ〜３４ｆは、同じ形状・構造としてあるため、以下では、投入受口３４ａを例に取り説明を行う事にする。投入受口３４ａは、傾斜板部３４１、張出部３４２、落下防止壁３４３、フランジ載置部３４４、飛出防止板３４５、及び、ヒンジ機構３４６を備えている。
【００４０】
傾斜板部３４１は、投入受口３４ａを上述した溝に係合固定したときに、図４に示すように、手前側から奥方に向かって徐々に低くなる傾斜面を構成する。従って、投入受口３４ａに投入された賞球Ｐは、傾斜板部３４１の上面の傾斜面を転動流下して、その後端から落下する。落下した賞球Ｐは、箱体３１の内部において投入受口３４ａの後方に設けられて落下スペース３７（図４参照）を落下し、箱体３１の内底面を転動して箱体３１の下端に設けられている排出口３８から流路４０へと流下する。なお、落下スペース３７は、本実施形態において各投入受口３４ａ〜３４ｆの間を上下に連通する連通路を構成する。
【００４１】
本実施形態では、側板３２，３３に固定された投入受口３４ａは、その後方側端部が箱体３１の前後方向の途中位置になるように固定されており、箱体３１の内部には、投入受口３４ａが固定されたときに、その後方側に、前後所定長のスペースが残されている。このスペースが落下スペース３７となる。なお、このスペースには、後述するように、落下する賞球Ｐを緩衝する落下速度緩和部材９０が形成されている。
【００４２】
傾斜板部３４１の前端は、所定範囲が手前側に所定長だけ突出するように凸型に張り出して形成された張出部３４２を有する。なお、本実施形態では、張出部３４２は、傾斜板部３４１の略中央部に形成されている。そして、載置台Ｔに導球部材３０を固定して賞球計数システム１００として用いる際に、少なくともこの張出部３４２は、載置台Ｔの前側面から外方に露出した状態で固定されることになる。
【００４３】
また、傾斜板部３４１の前端には、図６に示すように、上方に急峻（例えば、９０°）に立ち上がる落下防止壁３４３が形成されている。図６は、投入受口３４ａの前側面図である。落下防止壁３４３は、張出部３４２の前端に形成された第１落下防止壁３４３１、張出部３４２が形成されていない傾斜板部３４１の前端に形成された第２落下防止壁３４３２、第１落下防止壁３４３１と第２落下防止壁３４３２の間に、これらを接続するように前後方向に配向して形成された第３落下防止壁３４３３及び第４落下防止壁３４３４、を備える。これら落下防止壁を備えることにより、投入受口３４ａへの賞球Ｐの投入時に、賞球Ｐが手前側へ転がっても、傾斜板部３４１の前端から転落しない。
【００４４】
次に、張出部３４２や各落下防止壁の形状や作用について、図６〜９を参照しつつ説明する。同図に示すように第１落下防止壁３４３１は、着中央部が他の部位に比べて高く突出するように形成してある。具体的には、第１落下防止壁３４３１は、左右端部から略中央部に近づくにつれて徐々に高くなるように山なりに形成してある。これにより、下記の図７に示すように、賞球Ｐを収容するためのドル箱ＢのフランジＦと、第１落下防止壁３４３１との係合が容易になる。
【００４５】
図７は、第１落下防止壁３４３１とドル箱ＢのフランジＦとの係合状況を説明する図である。同図に示すように、ドル箱Ｂは、上端縁部から外方に延出したフランジＦが形成されており、このフランジＦの下面には、上に向けて凹んだ凹部Ｆ１が全体的に形成されている。上述したように、第１落下防止壁３４３１は幅方向中央部が他の部位に比べて高く突出するように形成してあり、ドル箱ＢのフランジＦの凹部Ｆ１の形状や形成範囲に関わらず、その少なくとも一部と係合可能な係合突起となる。
【００４６】
すなわち、ドル箱Ｂの賞球Ｐを投入受口３４ａに投入する際に、ドル箱Ｂの一方のフランジＦの凹部Ｆ１を第１落下防止壁３４３１の上端に係止することができるため、作業者は、ドル箱Ｂの後方側を持ち上げさえすれば賞球Ｐを投入受口３４ａへ投入可能であり、ドル箱Ｂの全体を持って賞球計数機１０の投入口１１に直接投入する場合に比べて、作業負担が大きく軽減される。
【００４７】
図８は、張出部３４２とドル箱Ｂの上面開口とを対比する図である。同図に示すように、張出部３４２は、張出部３４２の幅をｗ１とし、ドル箱Ｂの上面開口の長辺の幅をｗ２とすると、ｗ１＜ｗ２となるように形成されている。これにより、図７に示すように、ドル箱ＢのフランジＦの凹部Ｆ１を、投入受口３４ａ以外の投入受口の第１落下防止壁の上端に係合してドル箱Ｂを傾けて賞球Ｐを投入する際にドル箱Ｂを９０°まで傾けても、当該投入受口の上に配置されている投入受口３４ａ等と干渉するほとんど畏れがない。
【００４８】
また、ドル箱Ｂは、図７に示すように、上面開口に比べて底面の方が面積が小さくなるように側面にテーパーが付けてあり、ドル箱Ｂの側面と底面が成す角度θ１は、９０°よりも小さい。このため、作業者が、投入受口３４ａへドル箱Ｂに収容されている賞球Ｐを投入する際にドル箱Ｂを９０°まで傾けると、ドル箱Ｂに収容されている全ての賞球は、確実に投入受口３４ａへ投入される。
【００４９】
図９は、図７のＸ−Ｘ’断面を示す図である。図９に示すように、フランジＦの凹部Ｆ１を第１落下防止壁３４３１の上端に係合した状態のドル箱Ｂは、そのフランジＦの下端が、必ず、第３落下防止壁３４３３及び第４落下防止壁３４３４の２点で当接載置される。この第３落下防止壁３４３３及び第４落下防止壁３４３４のフランジＦと当接する上端部が、フランジ載置部３４４を構成する。
【００５０】
また、このようにフランジ載置部３４４にフランジＦを載置した状態でドル箱Ｂを９０°に傾けることができるため、投入作業中のドル箱Ｂが安定し、投入受口３４ａに対する賞球Ｐの投入作業が容易になる。このドル箱Ｂの安定性の理由は、図７に示すように、第３落下防止壁３４３３及び第４落下防止壁３４３４の奥行きｄ１が、ドル箱ＢのフランジＦの高さｈ１に比べて長く形成されているためでもある。
【００５１】
その他、図５に示すように、傾斜板部３４１の下面には、飛出防止板３４５が接続してある。飛出防止板３４５は、一端を傾斜板部３４１の下面に対して回動自在に接続され、当該接続部位から下方へ垂下された板状の部材であり、導球部材３０の内幅寸法のほぼ全幅に亘る幅を有している。なお、本実施形態では、板状部材の飛出防止板３４５を例示してあるが、この飛出防止板３４５に相当する部材として、樹脂製の垂れ幕状の部材を用いても構わない。
【００５２】
図５では、飛出防止板３４５は、ヒンジ機構３４６によって傾斜板部３４１に接続されており、飛出防止板３４５と傾斜板部３４１との接続箇所を回動軸として、回動自在になっている。これにより、落下スペース３７を落下中に、後述する落下速度緩和部材９０に衝突して反跳した賞球Ｐが、投入受口３４ａ〜３４ｆの隙間から導球部材３０の外部へ飛び出すことを防止できる。むろん、飛出防止板３４５により、導球部材３０の内部構造を遮蔽する効果もある。
【００５３】
次に、落下スペース３７に設けられる落下速度緩和部材９０について説明する。投入受口３４ａに投入された賞球Ｐは、傾斜板部３４１を転動して落下スペース３７へと落下する。傾斜板部３４１の奥方で上下に連通している落下スペース３７には、その途中位置に、賞球Ｐの落下速度を緩和するための落下速度緩和部材９０が設けてある。
【００５４】
図１０は、落下スペース３７を、導球部材３０の略中央部で前後上下に切断して示した図である。同図に示すように、落下速度緩和部材９０は、落下スペース３７において、箱体３１の背面内部から前方に向けて略垂直に突出した複数の突起９１により形成されている。また、複数の突起９１は、少なくとも最も上方に配設される投入受口３４ａの傾斜板部３４１の直下から落下スペース３７の最下部に至るまで、満遍なく設けてある。
【００５５】
各突起は、弾性部材で形成されており、箱体３１の背面内部から投入受口３４ａの近傍まで延びる長さを有する。すなわち、突起９１は、落下スペース３７の前後方向の全幅に亘る長さであり、最も上方に配設される投入受口３４ａの傾斜板部３４１の直下よりも下の領域には、落下スペース３７の全体に落下速度緩和部材９０が配設されていることになる。これにより、落下スペース３７を落下する賞球Ｐは、必ず落下速度緩和部材９０と衝突することになる。複数の突起９１は、賞球Ｐが衝突すると、その衝撃に応じた方向に撓むことにより賞球Ｐに対して反作用し、この反作用により突起９１は、落下速度を緩和される。
【００５６】
また、複数の突起９１は、落下スペース３７を、例えば鉛直方向に落下する賞球Ｐの落下軌跡上に少なくとも１つの突起が存在するように配列されている。このような配列には様々なものが考えられるが、例えば千鳥状の配列（以下、千鳥配列と記載する。）が挙げられる。図１１は、落下速度緩和部材９０の配列を示す説明図であり、千鳥配列を採用した場合の複数の突起９１を配列するピッチの一例を示してある。
【００５７】
図１１に示す千鳥配列は、その配列のピッチが２２ｍｍであるため、上方又は下方からの平面視において複数の突起９１の間隔が必ず１１ｍｍ未満となる。ここで、一般にパチンコ等の遊技機に用いられる賞球Ｐの直径はほぼ１１ｍｍであり、千鳥配列のピッチは賞球Ｐの直径のほぼ倍となるため、落下スペース３７を落下する賞球Ｐが、必ず何れかの突起に衝突して落下速度を緩和される構造が実現されている。これにより、賞球Ｐや導球部材３０に対する衝撃を緩和し、賞球Ｐや導球部材３０の耐用年数を延ばすことができる。
【００５８】
このようにして、落下スペース３７を落下して箱体３１の内底面に到達した賞球Ｐは、当該内底面を排出口３８に向けて流下して排出口３８から流路４０へと排出される。落下スペース３７の下部における何れかの側面には，賞球Ｐの排出口３８が形成されている。この排出口３８は、流路４０に連通されており、落下スペース３７の底面を形成する箱体３１の底面は、排出口３８に向けて下り勾配を有しているため、箱体３１の内底面に到達した賞球Ｐは自動的に排出口３８から排出される。
【００５９】
その他、落下速度緩和部材は、図１２に示す落下速度緩和部材１９０の構造を取ることもできる。同図に示す落下速度緩和部材１９０は、落下スペース３７の途中位置に設けた網状の部材である。なお、以下では、投入受口３４ａ〜３４ｆを区別せずに説明する場合は、投入受口３４ａ〜３４ｆをまとめて投入受口３４ｘと記載することにする。
【００６０】
図１３は、落下速度緩和部材１９０の１例を示す図である。同図に示す落下速度緩和部材１９０は、賞球Ｐを通過可能な開口が網目状に複数形成されたメッシュ部材としてある。落下スペース３７を落下する賞球Ｐは、落下速度緩和部材１９０が設けられた位置に達すると、開口内に落下した賞球Ｐについては、そのまま下方へ落下していく。
【００６１】
一方、落下速度緩和部材９０の開口からずれた位置に落下した賞球Ｐは、落下速度緩和部材１９０に衝突してから開口内に落下するため、そこで落下速度が低下もしくはゼロになる。ここで、確率的に、賞球Ｐが開口内に丁度落下する確率は非常に低いため、大半の賞球Ｐは、落下速度緩和部材１９０に衝突して落下速度が低下することになる。
【００６２】
このような落下速度緩和部材１９０は、少なくとも、隣接する何れか１組の投入受口の間に対応する位置に設けてあり、好適には、少なくとも、隣接する何れか２組の投入受口の間に対応する各位置に設けてあり、更に好適には、隣接する各組の投入受口の間の全てに対応する各位置に設けてある。
【００６３】
図１４は、落下速度緩和部材１９０の開口のサイズを説明する図である。同図には、隣接する各組の投入受口の間の全てに対応する各位置に落下速度緩和部材１９０を設けた場合を示してある。なお、同図では、投入受口３４ａと投入受口３４ｂの間に設けたもの落下速度緩和部材１９１として示し、投入受口３４ｂと投入受口３４ｃの間に設けたもの落下速度緩和部材１９２として示し、投入受口３４ｃと投入受口３４ｄの間に設けたもの落下速度緩和部材１９３として示し、投入受口３４ｄと投入受口３４ｅの間に設けたもの落下速度緩和部材１９４として示し、投入受口３４ｅと投入受口３４ｆの間に設けたもの落下速度緩和部材１９５として示してある。
【００６４】
ここで、落下速度緩和部材１９１のメッシュの幅をｗ１、奥行きをＬ１とし、落下速度緩和部材１９２のメッシュの幅をｗ２、奥行きをＬ２とし、落下速度緩和部材１９３のメッシュの幅をｗ３、奥行きをＬ３とし、落下速度緩和部材１９４の開口の幅をｗ４、奥行きをＬ４とし、落下速度緩和部材１９５の開口の幅をｗ５、奥行きをＬ５とすると、例えば、ｒ＜ｗ１＜ｗ２＜ｗ３＜ｗ４＜ｗ５、及びｒ＜Ｌ１＜Ｌ２＜Ｌ３＜Ｌ４＜Ｌ５という関係が成り立つように調整することができる。
【００６５】
言い換えると、落下速度緩和部材１９１に形成される開口のサイズは、賞球Ｐの直径ｒよりも大きく、落下速度緩和部材１９２に形成される開口のサイズは、落下速度緩和部材１９１に形成される開口のサイズよりも大きく、落下速度緩和部材１９３に形成される開口のサイズは、落下速度緩和部材１９２に形成される開口のサイズよりも大きく、落下速度緩和部材１９４に形成される開口のサイズは、落下速度緩和部材１９３に形成される開口のサイズよりも大きく、落下速度緩和部材１９５に形成される開口のサイズは、落下速度緩和部材１９４に形成される開口のサイズよりも大きくなっている。すなわち、下方に設けられた落下速度緩和部材ほど開口のサイズが大きくなっている。
【００６６】
このように開口サイズを調整することにより、高い位置から落下する賞球Ｐほど、落下速度の緩和度合いが大きくなり、各投入受口から投入されて落下スペース３７を落下する賞球Ｐの落下速度を平均的に緩和することが可能になる。これにより、賞球Ｐや導球部材３０に対する衝撃を緩和し、賞球Ｐや導球部材３０の耐用年数を延ばすことができる。
【００６７】
（２）賞球計数システムの使用例：
次に、導球部材３０を賞球計数システム１００に組み込んで行う具体的な使用例について説明する。導球部材３０は、載置台Ｔの前後左右何れかの側面に配設されており、好適には、載置台Ｔの前側面に配設されている。また、導球部材３０は、投入受口３４ａ〜３４ｆの先端部分が、載置台Ｔの側面から所定長だけ外方に突出した状態で配置する。また、この載置台Ｔの側面から突出する部位としては、少なくとも、上述した張出部３４２を含む物とする。
【００６８】
なお、ここで言う載置台Ｔの前側面とは、賞球計数機１０の前側面に対応する方向を意味する。このように、載置台Ｔの前側面に導球部材３０を配置することにより、作業者は、導球部材３０を介して行う賞球Ｐの投入動作と、投入された賞球Ｐの計数結果を印字して出力する賞球計数機１０からその印字結果を取得する動作を、載置台Ｔの同じ側面から行う事が出来るようになる。
【００６９】
また、導球部材３０の投入受口３４ａ〜３４ｆの先端部（特に張出部３４２）は、図１に示したように、所定長ｄ１だけ載置台Ｔの前面から突出した状態で設置されている。従って、後述するように、台車Ｃに載置されて搬送される玉箱としてのドル箱の上端縁部と投入受口３４ａ〜３４ｆの先端部とが上下方向にずれた状態で、左右方向において部分的に重複した状態にすることができる。これにより後述の賞球Ｐを投入受口に投入する作業の作業性が向上する。
【００７０】
図１５は、賞球投入時の、賞球計数システム１００とドル箱Ｂ１１〜Ｂ１６，Ｂ２１〜Ｂ２６との位置関係を示す図である。同図では、これらのドル箱は、２つのグループＧ１，Ｇ２に分けて台車Ｃの上に載置してある。台車Ｃは、作業車が賞球Ｐを収容する玉箱を搬送するために用いるものである。すなわち、台車Ｃの上の前方にはドル箱Ｂ１１〜Ｂ１６のグループＧ１を、後方にはドル箱Ｂ２１〜Ｂ２６のグループＧ２が、それぞれ積み重ねて載置してある。
【００７１】
図１６は、賞球投入時の、投入受口３４ａ〜３４ｆとドル箱Ｂ１１〜Ｂ１６の位置関係を示す図である。賞球Ｐを収容した状態で台車Ｃの上に積み重ねられたグループＧ１のドル箱Ｂ１１〜Ｂ１６は、作業者によって、同図に示すように、導球部材３０の投入受口３４ａ〜３４ｆが形成された側に接するように配置される。
【００７２】
このとき、ドル箱Ｂ１１の上端縁部Ｅ１１は投入受口３４ａの端部Ｆ１１よりも上方に位置し、ドル箱Ｂ１２の上端縁部Ｅ１２は投入受口３４ａの端部Ｆ１１よりも下方であって投入受口３４ｂの端部Ｆ１２よりも上方に位置し、ドル箱Ｂ１３の上端縁部Ｅ１３は投入受口３４ｂの端部Ｆ１２よりも下方であって投入受口３４ｃの端部Ｆ１３よりも上方に位置し、ドル箱Ｂ１４の上端縁部Ｅ１４は投入受口３４ｃの端部Ｆ１３よりも下方であって投入受口３４ｄの端部Ｆ１４よりも上方に位置し、ドル箱Ｂ１５の上端縁部Ｅ１５は投入受口３４ｄの端部Ｆ１４よりも下方であって投入受口３４ｅの端部Ｆ１５よりも上方に位置し、ドル箱Ｂ１６の上端縁部Ｅ１６は投入受口３４ｅの端部Ｆ１５よりも下方であって投入受口３４ｆの端部Ｆ１６よりも上方に位置している。
【００７３】
すなわち、賞球Ｐを収容した状態で台車Ｃの上に積み重ねられたドル箱Ｂ１１〜Ｂ１６を導球部材３０に接近させて導球部材３０の近傍に位置させると、投入受口３４ａ〜３４ｅの端部Ｆ１１〜Ｆ１５が、何れか上下に隣接して積み重ねられたドル箱の上端縁部の間に位置するようになっている。
【００７４】
逆に言うと、投入受口３４ａの端部Ｆ１１は、ドル箱Ｂ１１の上端縁部Ｅ１１とドル箱Ｂ１２の上端縁部Ｅ１２の間に位置し、投入受口３４ｂの端部Ｆ１２は、ドル箱Ｂ１２の上端縁部Ｅ１２とドル箱Ｂ１３の上端縁部Ｅ１３の間に位置し、投入受口３４ｃの端部Ｆ１３は、ドル箱Ｂ１３の上端縁部Ｅ１３とドル箱Ｂ１４の上端縁部Ｅ１４の間に位置し、投入受口３４ｄの端部Ｆ１４は、ドル箱Ｂ１４の上端縁部Ｅ１４とドル箱Ｂ１５の上端縁部Ｅ１５の間に位置し、投入受口３４ｅの端部Ｆ１５は、ドル箱Ｂ１５の上端縁部Ｅ１５とドル箱Ｂ１６の上端縁部Ｅ１６の間に位置し、投入受口３４ｆの端部Ｆ１６は、ドル箱Ｂ１６の上端縁部Ｅ１６よりも下方に位置している。
【００７５】
すなわち、投入受口３４ａ〜３４ｆは、賞球Ｐを収容した状態で台車Ｃの上に積み重ねられたドル箱Ｂ１１〜Ｂ１５の上端縁部が、いずれか隣接する２つの投入受口の間に位置するように形成されている。
【００７６】
更に言い換えると、投入受口３４ａ〜３４ｆについて、隣接する投入受口の端部の間隔は、それぞれｄ２１，ｄ２２，ｄ２３，ｄ２４，ｄ２５となっており、各ドル箱Ｂ１１〜Ｂ１６の高さは、それぞれｄ１１，ｄ１２，ｄ１３，ｄ１４，ｄ１５，ｄ１６となっている。ここで、ドル箱Ｂ１１〜Ｂ１６の高さは等しいため、入部の端部の間隔ｄ２１，ｄ２２，ｄ２３，ｄ２４，ｄ２５，ｄ２６もほぼ等しくなっている。
【００７７】
また、投入受口３４ａ〜３４ｆの隣接する投入受口の端部の間隔は、ドル箱の高さに略一致する間隔で設けられていることになる。言い換えると、投入受口３４ａ〜３４ｆの間隔が、ドル箱の高さに略一致する間隔で設けられていると言える。
【００７８】
以上説明したように、投入受口３４ａ〜３４ｆは、賞球Ｐを収容した状態で台車Ｃの上に積み重ねられた状態のドル箱Ｂ１１〜Ｂ１６と、最適な位置関係になるように調整されているため、作業者は、投入受口３４ａ〜３４ｆの中から最も楽に投入できる投入受口をドル箱毎に適宜に選択して賞球Ｐを投入することが出来るようになる。
【００７９】
図１７は、導球部材３０を介した賞球Ｐの投入を説明する図である。図１７（ａ）に示すように、ドル箱Ｂ１１〜Ｂ１６，Ｂ２１〜Ｂ２６を６段２列に積み重ねた場合、まず、前方のグループＧ１の最上部にあるドル箱Ｂ１１の賞球Ｐを、当該ドル箱Ｂ１１から最も近い投入受口３４ａへ、投入する。このとき、作業者は、図７に示すように、ドル箱Ｂ１１の一方の上端縁部Ｅ１１を投入受口３４ａの端部Ｆ１１に引っかけつつ、賞球Ｐの投入を行うことができる。
【００８０】
そして、ドル箱Ｂ１１からの賞球Ｐの投入が終了すると、軽くなったドル箱Ｂ１１は台車Ｃの上以外の邪魔にならない箇所に移動させ、次に、ドル箱Ｂ１２の賞球Ｐを同様の手順で投入受口３４ｂに投入して、同様に、軽くなったドル箱Ｂ１２は邪魔にならない箇所に移動させる。その後、同様の手順で、ドル箱Ｂ１３の賞球Ｐについては投入受口３４ｃへ、ドル箱Ｂ１４の賞球Ｐについては投入受口３４ｄへ、ドル箱Ｂ１５の賞球Ｐについては投入受口３４ｅへ、ドル箱Ｂ１６の賞球Ｐについては投入受口３４ｆへ、それぞれ投入していく。すると、前列のグループＧ１のドル箱が、台車Ｃの上から無くなる。
【００８１】
そこで、作業者は、次に、図１７（ｂ）に示すように、台車Ｃを載置台Ｔの方へ前進させる。ここで、載置台Ｔには、導球部材３０が設けられた前側面の下端に、後方に向けて凹んだ凹部８０が形成されている。この凹部８０部は、台車Ｃの載置部Ｃ１の少なくとも一部を収容可能なようになっている。好適には、載置台Ｔに形成される凹部８０は、グループＧ１が荷下ろしされた後に台車Ｃの載置台Ｔに出来た空きスペースに相当する部位を収容可能なサイズに形成されている。
【００８２】
従って、作業者が台車Ｃを載置台Ｔの方へ前進させると、この凹部８０に台車Ｃの前部が収容され、グループＧ２のドル箱Ｂ２１〜Ｂ２６を導球部材３０の近傍に位置させることができる。
【００８３】
作業者は、この状態で、ドル箱Ｂ２１〜Ｂ２６に収容されている賞球Ｐを順次に投入していく。すなわち、上述したドル箱Ｂ１１〜Ｂ１６の場合と同様の手順で、ドル箱Ｂ２１の賞球Ｐについては投入受口３４ａへ、ドル箱Ｂ２２の賞球Ｐについては投入受口３４ｂへ、ドル箱Ｂ２３の賞球Ｐについては投入受口３４ｃへ、ドル箱Ｂ２４の賞球Ｐについては投入受口３４ｄへ、ドル箱Ｂ２５の賞球Ｐについては投入受口３４ｅへ、ドル箱Ｂ２６の賞球Ｐについては投入受口３４ｆへ、それぞれ投入していく。
【００８４】
以上説明したように、作業者は、台車Ｃを導球部材３０へ接近させてドル箱Ｂ１１〜Ｂ１６やドル箱Ｂ２１〜Ｂ２６を投入受口３４ａ〜３４ｆの近傍に位置させた後は、ドル箱を持ち上げたり持って立ち上げたりする作業を行うことなく、全てのドル箱Ｂ１１〜Ｂ１６及びドル箱Ｂ２１〜Ｂ２６の賞球Ｐを導球部材３０を介して投入することが出来る。これにより、作業者の作業負担は、従来に比べて大きく軽減される。
【００８５】
また、導球部材３０は、載置台Ｔの下方に配置されており、作業者が座った状態で全てのドル箱Ｂ１１〜Ｂ１６，Ｂ２１〜Ｂ２６に収容されている賞球Ｐを投入可能な位置に配置されている。従って、作業者は、賞球Ｐの投入作業を行うにあたり、いったん座った後は、その作業の途中で立ち上がる必要が無く、作業者の作業負担は、従来に比べて更に軽減される。
【００８６】
以上のようにして、導球部材３０の各投入受口３４ａ〜３４ｆから投入された賞球Ｐは、導球部材３０の内部に上下に延在して各投入受口３４ａ〜３４ｆを導球部材３０の内部で連通する落下スペース３７に流れ込んで落下スペース３７を落下することになる。このように、賞球Ｐを貯留部５０へと送るための通路が共通化することにより導球部材３０の設置に必要なスペースを極力少なくし、さらに、各投入受口を使って賞球Ｐを投入したときの使用感や使用結果を共通化することができる。
【００８７】
落下スペース３７を落下した賞球Ｐは、導球部材３０の後方側下端に設けられた排出口３８から排出される。この排出口３８には、流路４０が接続されており、導球部材３０から排出された賞球Ｐは、貯留部５０に一時的に貯留される。その後、貯留部５０に貯留された賞球Ｐは、搬送部６０によって、賞球計数機１０の投入口１１の上側まで搬送され、投入口１１へと投入される。
【００８８】
なお、搬送部６０が貯留部５０に貯留された賞球Ｐを上方に揚昇する際の搬送方式としては、公知の各種の手法を採用可能であり、いわゆる、軌道式、打ち出し式、遠心力式、等の各種の手法の中から、安全性、コスト、故障率、消費電力等の観点から、適宜に選択することが出来る。
【００８９】
（４）まとめ： 
以上説明した実施形態によれば、投入された賞球Ｐを所定箇所（貯留部５０や賞球計数機１０の投入口１１）へ導くための導球部材３０であって、賞球Ｐを投入するための複数の投入受口３４ａ〜３４ｆを備えると共に、これら複数の投入受口３４ａ〜３４ｆが上下に並設してあることを特徴とする導球部材を、賞球計数システム１００に設けてある。これにより、低コストで賞球の計数に係る作業者の負担を軽減することができる。
【００９０】
なお、本発明は上述した実施形態や変形例に限られず、上述した実施形態および変形例の中で開示した各構成を相互に置換したり組み合わせを変更したりした構成、公知技術並びに上述した実施形態および変形例の中で開示した各構成を相互に置換したり組み合わせを変更したりした構成、等も含まれる。また，本発明の技術的範囲は上述した実施形態に限定されず，特許請求の範囲に記載された事項とその均等物まで及ぶものである。
【符号の説明】
【００９１】
１０…賞球計数機、１１…投入口、１２…計数部、１３…出力部、２０…送球路、３０…導球部材、３１…箱体、３１ａ〜３１ｈ…孔、３２…側板、３２ａ〜３２ｄ…穴、３３…側板、３３ｅ〜３３ｈ…穴、３４ａ〜３４ｆ…投入受口、３４ｘ…投入受口、３７…落下スペース、３８…排出口、４０…流路、５０…貯留部、６０…搬送部、８０…凹部、９０…落下速度緩和部材、９１…突起、１００…賞球計数システム、１９０…落下速度緩和部材、１９１…落下速度緩和部材、１９２…落下速度緩和部材、１９３…落下速度緩和部材、１９４…落下速度緩和部材、１９５…落下速度緩和部材、２４３…張出部、３２１…溝、３３１…溝、３４１…傾斜板部、３４２…張出部、３４３…落下防止壁、３４４…フランジ載置部、３４５…飛出防止板、３４６…ヒンジ機構、３４３１…第１落下防止壁、３４３２…第２落下防止壁、３４３３…第３落下防止壁、３４３４…第４落下防止壁、Ｂ…ドル箱、Ｃ…台車、Ｆ…フランジ、Ｐ…賞球、Ｔ…載置台、θ１…角度、Ｂ１１〜Ｂ１６…ドル箱、Ｂ２１〜Ｂ２６…ドル箱、Ｃ１…載置部、Ｅ１１〜Ｅ１６…上端縁部、Ｆ１…凹部、Ｆ１１〜Ｆ１５…端部、Ｇ１…グループ、Ｇ２…グループ
【図１】
2014018210.tif 000003
【図２】
2014018210.tif 000004
【図３】
2014018210.tif 000005
【図４】
2014018210.tif 000006
【図５】
2014018210.tif 000007
【図６】
2014018210.tif 000008
【図７】
2014018210.tif 000009
【図８】
2014018210.tif 000010
【図９】
2014018210.tif 000011
【図１０】
2014018210.tif 000012
【図１１】
2014018210.tif 000013
【図１２】
2014018210.tif 000014
【図１３】
2014018210.tif 000015
【図１４】
2014018210.tif 000016
【図１５】
2014018210.tif 000017
【図１６】
2014018210.tif 000018
【図１７】
2014018210.tif 000019
【図１８】
2014018210.tif 000020